(57)【要約】      （修正有）【課題】ソケットコネクタを提供する。【解決手段】絶縁本体と、ドッキング部材２と、複数のドッキング端子と、固定板４と、外カバーとを備える。絶縁本体の周辺には固定溝１３１が設けられる。ドッキング部材は絶縁本体に固設される。ドッキング端子はドッキング部材中に固設される。固定板は絶縁本体に覆設され、且つ第一開口部４１を有する。外カバーは第一開口部中に固設されると共に絶縁本体に連結され、外カバーはフレーム５１及びカバー５２で構成され、フレームの周辺には固定溝に対応させると共に相互に係合される係止部５１４が設けられ、係止部には外に向けて突出されることにより係合ブロック５１４１が形成される。組み合わせられる場合、係止部が固定溝内に固定される。係止部及び固定溝が係合され、且つ係合ブロックにより固定板が係合されることにより、外カバーが脱落しにくくなり、構造強度の増強効果が達成される。また、カバーが増設されることにより防水効果も達成される。【選択図】図４
0003216720.tif 000002
【実用新案登録請求の範囲】
【請求項１】
ベースを有し、前記ベースにはベースを前後に貫通させる少なくとも１つの収容口が設けられ、且つベースの少なくとも１つの周辺には固定溝が設けられる絶縁本体と、
収容口中に装設され、ドッキングスロットを各々有する少なくとも１つのドッキング部材と、
ドッキングスロット中に固設される複数のドッキング端子と、
第一開口部を有する固定板であって、前記絶縁本体は少なくとも１つの固定部材により固定板の一側に固設され、前記ベースは第一開口部中に装設されることと、
固定板の絶縁本体の他側に対応させる第一開口部中に固設され、フレーム及びカバーで構成され、フレームはフレーム本体を有し、前記フレーム本体の各辺には外に向けて突出されることにより位置限定部が形成され、前記フレーム本体の中間部には前後に貫通させる第二開口部を有し、前記フレーム本体の底部の少なくとも１つの周辺にはベースの固定溝に対応させると共に相互に係合される係止部が設けられ、前記係止部には外に向けて突出されることにより係合ブロックが形成され、前記係合ブロックにより固定板が係合され、前記カバーは中空のカラーを有し、前記カラーはフレームの係止部に被装され、カラーの上端には接続部が延伸されるように形成され、前記接続部の他端には上に向けて延伸されることにより固定ブロックが形成され、前記固定ブロックはカラーに開閉可能に覆設されて第一開口部及び第二開口部を遮蔽させる外カバーとを備えることを特徴とするソケットコネクタ。
【請求項２】
前記ベースの上部及び下部には共に第一固定孔が開設されることを特徴とする請求項１に記載のソケットコネクタ。
【請求項３】
前記固定板には固定区を有し、前記固定区は第一開口部の上方及び下方に設置されることを特徴とする請求項１に記載のソケットコネクタ。
【請求項４】
前記固定区はアーチ橋であり、前記固定区は第二固定孔を有することを特徴とする請求項２に記載のソケットコネクタ。
【請求項５】
前記固定部材はねじ、ブッシング、及びナットの組み合わせであることを特徴とする請求項１に記載のソケットコネクタ。
【請求項６】
前記係合ブロックは斜面を有することを特徴とする請求項１に記載のソケットコネクタ。
【請求項７】
前記カバーの材質はシリコーンであることを特徴とする請求項１に記載のソケットコネクタ。
【考案の詳細な説明】
【技術分野】
【０００１】
本考案は、コネクタに関し、より詳しくは、堅固で防水性を有するソケットコネクタ（SocketConnector）に関する。
【背景技術】
【０００２】
近年、様々な業界でコネクタの需要が日増しに増えている。電子機器にとっては、防水性能は非常に重要である。
【考案の概要】
【考案が解決しようとする課題】
【０００３】
一般的なコネクタはプラグコネクタ及びソケットコネクタで構成される。よくあるソケットコネクタ構造は外カバーの完成品及びベースの完成品の２つの部材が装設され、装設時には、弾性バックル方式が採用されて押し入れられて係合される場合が多い。但し、この構造では弾性バックルの強度が弱いため、外力を受けると損壊しやすかった。
【０００４】
なお、よくあるソケットコネクタは使用上プラグコネクタと組み合わせる必要がある。プラグコネクタがソケットコネクタに未挿入の場合、ソケットコネクタ中の各ソケットが開放状態となって液体が進入しやすくなり、これが電子機器の損壊につながった。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、ソケットコネクタを提供することを目的とする。
【課題を解決するための手段】
【０００７】
上述した課題を解決し、目的を達成するために、本考案に係るソケットコネクタの特徴は、絶縁本体と、少なくとも１つのドッキング部材と、複数のドッキング端子と、固定板と、外カバーとを備える。前記ドッキング部材は絶縁本体に固設され、前記ドッキング端子はドッキング部材中に固設される。前記絶縁本体はベースを有し、前記ベースの上部及び下部には共に第一固定孔が開設され、前記ベースの中間部には前に向けて突出されるように台座が形成される。前記台座の各辺にはすべて固定溝が開設され、前記台座の中間部にはベースを前後に貫通させる少なくとも１つの収容口を有し、各前記収容口の頂部には位置限定口を各々有する。
【０００８】
前記固定板は台座に覆設され、前記固定板は第一開口部及び固定区を有する。前記固定区は第一開口部の上方及び下方に設置され、前記固定区は第二固定孔を有し、前記第二固定孔は固定部材を有する。
【０００９】
前記外カバーは第一開口部中に固設され、前記外カバーはフレーム及びカバーで構成される。前記フレームはフレーム本体を有し、前記フレーム本体の各辺には外に向けて突出されることにより第二位置限定部が形成される。前記フレーム本体の中間部には前後に貫通させる第二開口部を有し、前記フレーム本体の底部の周辺には後に向けて突出されることにより固定溝に対応させると共に相互に係合される少なくとも１つの係止部が形成される。各前記係止部には外に向けて突出されることにより斜面を有する係合ブロックが形成される。
【００１０】
前記カバーの材質はシリコーンであり、前記カバーはカラーを有する。前記カラーは係止部に被装され、前記カラーには上に向けて延伸されることにより接続部が形成される。前記接続部には上に向けて延伸されるように固定ブロックが形成され、前記固定ブロックはカラーに開閉可能に覆設されて第一開口部及び第二開口部を遮蔽させる。
【００１１】
本考案に係るソケットコネクタは装設時に、前記外カバーが一定の角度回転されることにより各辺の係合ブロックが第一開口部を貫通させる。次いで、外カバーが反対方向に回転されて初期位置に戻され、この際に係合ブロックにより固定板が係合される。これにより、係合ブロックが固定板の後表面に固定され、各係止部が対応する固定溝内に定置されることにより外カバーが回転不能となり、外カバーが脱落しにくくなる。
【考案の効果】
【００１２】
以上を総合すると、本考案に係るソケットコネクタは外カバーの圧入回転方式により係合ブロックが固定板の一側に係合された後、各固定溝により各係止部が制限され、外カバーが回転不能となって脱離しなくなる。これにより、固定がより堅固になる。また、防水シリコーンカバーが増設されることにより、固定板及び外カバーの連結箇所の隙間からの水の侵入が防止される。また、カバーにより蓋をされるのみでドッキングスロットからの水の侵入が防止される。
【図面の簡単な説明】
【００１３】
【図１】本考案に係るソケットコネクタを説明する外観斜視図である。
【図２】図１に示すソケットコネクタを他の角度から見た外観斜視図である。
【図３】本考案に係るソケットコネクタを説明する展開図である。
【図４】図３に示すソケットコネクタを他の角度から見た展開図である。
【図５】本考案に係るソケットコネクタを説明する上面図である。
【図６】図５に示すソケットコネクタを説明する断面図である。
【図７】本考案に係るソケットコネクタが無効にする傾斜図である。
【図８】本考案のソケットコネクタと結合するためのプラグコネクタを説明する外観斜視図である。
【考案を実施するための形態】
【００１４】
以下、図面を参照して本考案に係るソケットコネクタの実施形態について説明する。尚、以下に説明する実施の形態は、実用新案登録請求の範囲に記載された本考案の内容を限定するものではない。また、以下に説明される構成の全てが、本考案の必須要件であるとは限らない。
【００１５】
以下に、理解を容易にするため、図１〜８を参照しながら、本考案をさらに詳しく説明する。まず、本考案のソケットコネクタ１００は、絶縁本体１と、少なくとも１つのドッキング部材２と、複数のドッキング端子３と、固定板４と、外カバー５とを備える（図１及び図２参照）。
【００１６】
次は、前記絶縁本体１はベース１１を有し、前記ベース１１の上部及び下部には共に第一固定孔１２が開設される（図３及び図４参照）。
【００１７】
前記ベース１１の中間部には前に向けて突出されるように台座１３が形成される。前記台座１３は任意の形状でよく、本実施形態に記載の形状に限定されない。本実施形態では、前記台座１３は方形であり、前記台座１３の各辺には固定溝１３１が各々開設される。前記台座１３の中間部にはベース１１を前後に貫通させる少なくとも１つの収容口１４を有し、各前記収容口１４の頂部には須く位置限定口１４１を有する。
【００１８】
図２乃至図４に示されるように、前記ドッキング部材２は収容口１４中に装設され、前記ドッキング部材２の数量は収容口１４の数量に対応させる。本実施形態では、収容口１４及びドッキング部材２は共に３つである。前記ドッキング部材２は任意の形状でよく、本実施形態に記載の形状に限定されない。本実施形態では、前記ドッキング部材２は方形であり、前記ドッキング部材２の前端の各辺には外に向けて突出されることにより第一位置限定部２１が形成される。前記ドッキング部材２の前端の外表面には外に向けて突出されるように形成される複数のバンプ２２を有し、前記ドッキング部材２の前後には共に複数のドッキングスロット２３を有する。前記ドッキング部材２の各辺には後端の頂部に向かって上向きに突出されるように形成される位置限定ブロック２４を有する。
【００１９】
図１及び図６に示されるように、前記ドッキング端子３はドッキングスロット２３中に固設される。前記ドッキング端子３は第一固定部（図示せず）を有し、前記第一固定部には前に向けて延伸されるようにドッキング部３１が形成され、前記第一固定部には後に向けて延伸されるように外付部３２が形成される。
【００２０】
また、図１、図３及び図４に示されるように、前記固定板４は台座１３に覆設され、前記固定板４は第一開口部４１及び固定区４２を有する。前記固定区４２は第一開口部４１の上方及び下方に設置され、前記固定区４２はアーチ橋であり、前記固定区４２は第二固定孔４２１を有する。前記第二固定孔４２１は固定部材４３を有し、前記固定部材４３は任意の部材でよく、本実施形態に記載の部材に限定されない。本実施形態では、前記固定部材４３はねじ４３１、ブッシング４３２、及びナット４３３の組み合わせであり、前記固定区４２は固定板４に溶接され、且つねじ４３１の頭部が固定区４２内に固設される。
【００２１】
なお、図１、図３及び図４に示されるように、前記外カバー５は第一開口部４１中に装設され、前記外カバー５はフレーム５１及びカバー５２で構成される。前記フレーム５１はフレーム本体５１１を有し、前記フレーム本体５１１の各辺には外に向けて突出されることにより第二位置限定部５１２が形成される。前記フレーム本体５１１の中間部には前後に貫通させる第二開口部５１３を有し、前記フレーム本体５１１の底部の周辺には後に向けて突出されるように固定溝１３１に対応させると共に相互に係合される少なくとも１つの係止部５１４が形成される。各前記係止部５１４には外に向けて突出されることにより斜面を有する係合ブロック５１５が形成される。
【００２２】
前記カバー５２の材質はシリコーンであり、前記カバー５２はカラー５２１を有し、前記カラー５２１は係止部５１４に被装される。前記カラー５２１には上に向けて延伸されるように接続部５２２が形成され、前記接続部５２２には上に向けて延伸されるように固定ブロック５２３が形成される。前記固定ブロック５２３はカラー５２１に開閉可能に覆設されて第一開口部４１及び第二開口部５１３を遮蔽させる。
【００２３】
さらに、本考案に係るソケットコネクタ１００に組み合わせられるプラグコネクタ２００を有し、前記プラグコネクタ２００は絶縁本体６と、プラグイン部材７と、複数のプラグイン端子８とを有する（図８参照）。前記プラグイン部材７は絶縁本体６に装設され、前記プラグイン部材７の数量はドッキング部材２の数量に対応させ、本実施形態では、ドッキング部材２及びプラグイン部材７は共に３つである。前記プラグイン部材７は任意の形状でよく、本実施形態に記載の形状に限定されない。本実施形態では、前記プラグイン部材７は長方形であり、前記前記プラグイン部材７は複数のプラグイン端子スロット７１を有する。前記プラグイン端子８はプラグイン端子スロット７１中に固設され、前記プラグイン端子８は第二固定部を有し、前記第二固定部には前に向けて延伸されるように第二插接部が形成され、前記第二固定部には後に向けて延伸されるように第二外付部が形成される。
【００２４】
図４乃至図６に示されるように、本考案に係るソケットコネクタ１００の装設時には、前記外カバー５が一定の角度回転されることにより各辺の係合ブロック５１５が第一開口部４１を貫通させる。次いで、外カバー５が反対方向に回転されることにより初期位置に戻され、この際に係合ブロック５１５により固定板４が係合される。これにより係合ブロック５１５が固定板４の後表面に固定され、圧入回転方式により装設される。固定板４及び外カバー５の連結箇所の隙間からの水の侵入が防止され、この際にフレーム本体５１１が固定板４の前表面に位置される。
【００２５】
続いて、図４乃至図６を参照し、各前記ドッキング端子３は各ドッキングスロット２３中に固設され、各前記ドッキング部３１が各ドッキングスロット２３１の前端から露出され、各前記外付部３２が各ドッキングスロット２３１の後端から露出される。各前記ドッキング部材２が各収容口１４内に装設されると、前記位置限定ブロック２４がまず位置限定口１４１を貫通させ、前記ドッキング部材２が持続的に内に向けて底部まで推進され、前記第一位置限定部２１により収容口１４が塞がれ、ドッキング部材２が位置限定口１４１を完全に通過させることができなくなる。この際、前記バンプ２２が収容口１４内に定置されると共に収容口１４の内壁と接触する箇所の摩擦力が増加し、ドッキング部材２が収容口１４内に固定される。前記ブッシング４３２が第一固定孔１２内まで至り、前記ベース１１が固定板４の後表面に定置されると、前記第一固定孔１２及び第二固定孔４２１が連結され、前記ねじ４３１が同時に第一固定孔１２、第二固定孔４２１、及びブッシング４３２を貫通させた後、ナット４３３がねじ４３１に螺着される。これにより、絶縁本体１が固定板４の一側に固定され、この際に各前記係止部５１４が対応する固定溝１３１内に定置され、外カバー５が回転不能となって外カバー５が脱落しにくくなる。こうして本考案に係るソケットコネクタ１００の装設が完成する。
【００２６】
図１及び図７に示されるように、前記カバー５２が接続部５２２を有するためカバー５２が可動になる。前記カバー５２は本考案に係るソケットコネクタ１００の未使用時には、前記固定ブロック５２３が第一開口部４１内に装設されることにより各ドッキングスロット２３１が外部から隔絶され、本考案に係るソケットコネクタ１００が閉鎖状態となり、ドッキングスロット２３１からの水の侵入が防止される。前記カバー５２は本考案に係るソケットコネクタ１００の使用時には、前記固定ブロック５２３が第一開口部４１内から抜脱されることにより各ドッキングスロット２３１が開放されて開放状態となる。
【００２７】
前記プラグコネクタ２００の装設時には、各前記端子８が各プラグイン端子スロット７２内に定置され、各前記プラグイン部材７が絶縁本体６に固設される。
【００２８】
前記プラグコネクタ２００及びソケットコネクタ１００が組み合わせられると、各前記プラグイン部材７が各ドッキング部材２に挿入されることによりプラグコネクタ２００及びソケットコネクタ１００の連結が完成する。前記プラグコネクタ２００がソケットコネクタ１００から抜脱されると、各プラグイン部材７が各ドッキング部材２から退出することによりプラグコネクタ２００及びソケットコネクタ１００の分離が完成する。
【００２９】
総合すると、本考案に係るソケットコネクタ１００は外カバー５の圧入回転方式により係合ブロック５１４１が固定板４の一側に係合された後、各固定溝１３１により各係止部５１４が制限され、外カバー５が回転不能となって脱離しなくなる。これにより固定がより堅固になる。また、防水シリコーンカバー５２が増設されることにより、固定板４及び外カバー５の連結箇所の隙間からの水の侵入が防止される。カバー５２により蓋がされると、ドッキングスロット２３１からの水の侵入が防止される。
【００３０】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３１】
１００  ソケットコネクタ
１  絶縁本体
２  ドッキング部材
３  ドッキング端子
４  固定板
５  外カバー
１１  ベース
１２  第一固定孔
１３  台座
１３１  固定溝
１４  収容口
１４１  位置限定口
２１  第一位置限定部
２２  バンプ
２３  ドッキングスロット
２４  位置限定ブロック
３１  ドッキング部
３２  外付部
４１  第一開口部
４２  固定区
４２１  第二固定孔
４３  固定部材
４３１  ねじ
４３２  ブッシング
４３３  ナット
５１  フレーム
５２  カバー
５１１  フレーム本体
５１２  第二位置限定部
５１３  第二開口部
５１４  係止部
５１４１ 係合ブロック
５２１  カラー
５２２  接続部
５２３  固定ブロック
２００  プラグコネクタ
６  絶縁本体
７  プラグイン部材
８  プラグイン端子
７１  プラグイン端子スロット
【図１】
0003216720.tif 000003
【図２】
0003216720.tif 000004
【図３】
0003216720.tif 000005
【図４】
0003216720.tif 000006
【図５】
0003216720.tif 000007
【図６】
0003216720.tif 000008
【図７】
0003216720.tif 000009
【図８】
0003216720.tif 000010
【手続補正書】
【提出日】平成30年4月11日(2018.4.11)
【手続補正１】
【補正対象書類名】実用新案登録請求の範囲
【補正対象項目名】全文
【補正方法】変更
【補正の内容】
【実用新案登録請求の範囲】
【請求項１】
ベースを有し、前記ベースにはベースを前後に貫通させる少なくとも１つの収容口が設けられ、且つベースの少なくとも１つの周辺には固定溝が設けられる絶縁本体と、
収容口中に装設され、ドッキングスロットを各々有する少なくとも１つのドッキング部材と、
ドッキングスロット中に固設される複数のドッキング端子と、
第一開口部を有する固定板であって、前記絶縁本体は少なくとも１つの固定部材により固定板の一側に固設され、前記ベースは第一開口部中に装設されることと、
固定板の絶縁本体の他側に対応させる第一開口部中に固設され、フレーム及びカバーで構成され、フレームはフレーム本体を有し、前記フレーム本体の各辺には外に向けて突出されることにより位置限定部が形成され、前記フレーム本体の中間部には前後に貫通させる第二開口部を有し、前記フレーム本体の底部の少なくとも１つの周辺にはベースの固定溝に対応させると共に相互に係合される係止部が設けられ、前記係止部には外に向けて突出されることにより係合ブロックが形成され、前記係合ブロックにより固定板が係合され、前記カバーは中空のカラーを有し、前記カラーはフレームの係止部に被装され、カラーの上端には接続部が延伸されるように形成され、前記接続部の他端には上に向けて延伸されることにより固定ブロックが形成され、前記固定ブロックはカラーに開閉可能に覆設されて第一開口部及び第二開口部を遮蔽させる外カバーとを備えることを特徴とするソケットコネクタ。
【請求項２】
前記ベースの上部及び下部には共に第一固定孔が開設されることを特徴とする請求項１に記載のソケットコネクタ。
【請求項３】
前記固定板には固定区を有し、前記固定区は第一開口部の上方及び下方に設置されることを特徴とする請求項１に記載のソケットコネクタ。
【請求項４】
前記固定区はアーチ橋であり、前記固定区は第二固定孔を有することを特徴とする請求項３に記載のソケットコネクタ。
【請求項５】
前記固定部材はねじ、ブッシング、及びナットの組み合わせであることを特徴とする請求項１に記載のソケットコネクタ。
【請求項６】
前記係合ブロックは斜面を有することを特徴とする請求項１に記載のソケットコネクタ。
【請求項７】
前記カバーの材質はシリコーンであることを特徴とする請求項１に記載のソケットコネクタ。